(57)【要約】 【課題】  記録容量を維持しつつ、アドレス情報を容易に取得できるホログラムメモリ媒体を提供することを目的とする。【解決手段】  カード状のホログラムメモリ媒体であって、情報記録エリアを有する面の裏面に情報記録エリアに対応したアドレス情報を設けたことを特徴とするホログラムメモリ媒体を提供する。【選択図】  図１          
2005321947.tif 000002
【特許請求の範囲】
【請求項１】
カード状のホログラムメモリ媒体であって、
情報記録エリアを有する面の裏面に情報記録エリアに対応したアドレス情報を設けたことを特徴とするホログラムメモリ媒体。
【請求項２】
前記アドレス情報が格子状に設けられたことを特徴とする請求項１に記載されたホログラムメモリ媒体。
【請求項３】
前記アドレス情報が、印刷によるマークであることを特徴とする請求項２に記載されたホログラムメモリ媒体。
【請求項４】
前記アドレス情報が、凹部あるいは凸部により形成されていることを特徴とする請求項２に記載されたホログラムメモリ媒体。
【請求項５】
前記アドレス情報が、インクリメント・データとして形成されていることを特徴とする請求項２に記載されたホログラムメモリ媒体。
【請求項６】
前記アドレス情報が、絶対値情報として形成されていることを特徴とする請求項２に記載されたホログラムメモリ媒体。
【発明の詳細な説明】
【技術分野】
【０００１】
本発明は、情報を物体光と参照光とによる干渉縞として記録するホログラムメモリ媒体に関する。
【背景技術】
【０００２】
近年、情報の記録媒体として相変化型や光磁気型などの書き換え可能な光ディスクが、広く普及している。これらの光ディスクは、さらに記録密度を高めるためには、ビームスポット径を小さくして、隣接トラックまたは隣接ビットとの距離を短くするなどの技術が必要である。
【０００３】
このように、光ディスクの高密度化は年々進んでいるが、一方で、上記の光ディスクは面内にデータを記録するため、その記録密度は光の回折限界に制限され、高密度記録の物理的限界に近づいている。したがって、更なる大容量化のためには、奥行き方向を含めた３次元（体積型）の多重記録が必要となる。
【０００４】
そこで、次世代のコンピュータファイルメモリとして、３次元的多重記録領域に由来する大容量性と２次元一括記録再生方式に由来する高速性とを兼ね備えたホログラムメモリが注目されている。ホログラムメモリは、例えば、フォトポリマーなどを記録材料とする記録層を２枚のガラス板に挟み込んで形成した記録媒体に記録情報に対応する物体光と参照光とを照射し、双方の光により生成される干渉縞を記録材料の屈折率の変化として記録するものであり、情報の再生時には、記録された干渉縞に対し参照光のみを照射し、記録情報に対応する光学情報を抽出するものである。
【０００５】
ホログラムメモリには、キューブ型やカード型等様々な形態のものが提案されているが、例えば、カード型に関するものとしては、導波路を形成した記録層を多層化して、記録容量の増大を図ったホログラムメモリが知られている（例えば、特許文献１参照。）。
【特許文献１】特開２０００−６７２０４号公報
【発明の開示】
【発明が解決しようとする課題】
【０００６】
一般に、ホログラムメモリに情報の記録や再生を行う場合には、例えば、図１０に示すように、基準線に沿って横方向に情報を記録あるいは再生し、基準線の終端に達すると、一旦、記録あるいは再生動作を停止して、隣り合う次の基準線に移動し、先程と同様に、基準線に沿って横方向に情報の記録あるいは再生を実行する動作を繰り返し行うことになる。しかし、上記の記録、再生方法では、一連の情報を同時に記録し、あるいは再生する場合には、問題とならないが、後から記録済みの情報に続けて情報を記録する場合や特定の情報をサーチして再生する場合にはアドレス情報が必要となる。
【０００７】
そこで、本発明は、上述の問題点に鑑みてなされたものであり、記録容量を維持しつつ、アドレス情報を容易に取得できるホログラムメモリ媒体を提供することを目的とする。
【課題を解決するための手段】
【０００８】
請求項１に係る発明は、カード状のホログラムメモリ媒体であって、情報記録エリアを有する面の裏面に情報記録エリアに対応したアドレス情報を設けたことを特徴とするホログラムメモリ媒体を提案している。
この発明によれば、カード状のホログラムメモリ媒体の情報記録エリアの裏面にアドレス情報を設けたことから、記録容量を維持しつつ、アドレス情報を容易に取得することができる。
【０００９】
請求項２に係る発明は、請求項１に記載されたホログラムメモリ媒体について、前記アドレス情報が格子状に設けられたことを特徴とするホログラムメモリ媒体を提案している。
この発明によれば、アドレス情報が格子状に設けられていることから、例えば、サーチ中にカウント動作を実行することにより、高精度のサーチ動作を実現することができる。
【００１０】
請求項３に記載された発明は、請求項２に記載されたホログラムメモリ媒体について、前記アドレス情報が、印刷によるマークであることを特徴とするホログラムメモリ媒体を提案している。        
この発明によれば、アドレス情報が、印刷によるマークであることから、極めて簡単な構成でアドレス情報を形成することができる。
【００１１】
請求項４に係る発明は、請求項２に記載されたホログラムメモリ媒体について、前記アドレス情報が、凹部あるいは凸部により形成されていることを特徴とするホログラムメモリ媒体を提案している。
この発明によれば、アドレス情報が、凹部あるいは凸部により形成されていることから、極めて簡単な構成でアドレス情報を形成することができる。
【００１２】
請求項５に係る発明は、請求項２に記載されたホログラムメモリ媒体について、前記アドレス情報が、インクリメント・データとして形成されていることを特徴とするホログラムメモリ媒体を提案している。
この発明によれば、インクリメント・データとして形成されているアドレス情報を用いることにより、サーチ動作の際に、光ヘッドが何本格子を通過したかをカウントすることによりアドレスを検出することができる。
【００１３】
請求項６に係る発明は、請求項２に記載されたホログラムメモリ媒体について、前記アドレス情報が、絶対値情報として形成されていることを特徴とするホログラムメモリ媒体を提案している。
この発明によれば、絶対値情報として形成されているアドレス情報を用いることにより、サーチ動作の際のアドレス情報を迅速に得ることができる。
【発明の効果】
【００１４】
本発明によれば、記録容量を維持しつつ、アドレス情報を容易に取得できるため、任意の情報に対して、短時間に、かつ正確なサーチを行うことができるという効果がある。
また、本発明によれば、アドレス情報が情報記録エリアの裏面に格子状に構成されているため、これを用いることにより、高精度で高速なアクセスを実現することができるという効果がある。
【発明を実施するための最良の形態】
【００１５】
以下、本発明の実施形態に係るホログラムメモリ媒体について図１から図１０を参照して詳細に説明する。
【実施例】
【００１６】
図１は、本発明に係るホログラムメモリ媒体１００の基本構成を示したものである。図１によれば、本発明に係るホログラムメモリ媒体１００は、情報を記録する情報記録エリア１と、情報記録エリア１の外周部分に形成された非情報記録エリア２とから構成された面（図１（ａ）参照）と、情報記録エリア１に対応したアドレス情報４を有している面（図１（ｂ）参照）から構成されている。
【００１７】
図２は、図１のホログラムメモリ媒体１００の情報記録エリア１を複数のゾーン３に分割したものであり、図１と同様に、各ゾーン３の情報を記録する情報記録エリア１１と、情報記録エリア１１の外周部分に形成された非情報記録エリア１２とから構成された面（図２（ａ）参照）と、情報記録エリア１１に対応したアドレス情報４を有している面（図２（ｂ）参照）から構成されている。
【００１８】
ここで、ホログラムメモリ媒体１００の構成は、例えば、図３に示すように、基板２２と、ホログラム記録層２３と、全反射層２４と、保護層２５と、図示しないコート層、接着層と、基板２６と、アドレス情報を有するピット２７とから構成されている。なお、本実施例においては、アドレス情報を凹部状あるいは凸部状のピット列として説明するが、これに限らず、アドレス情報をマークとして印刷してもよい。
【００１９】
ここで、基板２２、２６は、ホログラムメモリ媒体１００のベースをなす部材である。ホログラム記録層２３は、例えば、フォトポリマー等の感光材料により構成され、物体光と参照光とを同一箇所に照射することにより、物体光の情報を干渉縞として記録する。
【００２０】
全反射層２４は、ホログラム記録層２３に入射する物体光、参照光を反射する層であり、物体光、参照光が情報記録エリアを有する面と対向する面に透過するのを防止している。保護層２５は、基板２６に形成された、凹部状または凸部状のピット７からなるアドレス情報外部から物理的に保護するものである。
【００２１】
次に、アドレス情報を用いた位置決め制御の方法について説明する。
図１あるいは図２に示すようなホログラムメモリ媒体１００に情報を記録するドライブ装置には、例えば、情報の記録再生を行う光ピックアップと、ホログラムメモリ媒体１００を挟んで対向する位置にアドレス情報を読み取るアドレス情報読取用光ピックアップを備えている。
【００２２】
図１に示すようなホログラムメモリ媒体１００に情報を初めて記録するときには、図示しないドライブ装置内のＣＰＵから記録開始アドレス（例えば、Ｘ＝Ａ、Ｙ＝Ａ）が指示される。アドレス情報読取用光ピックアップは、現在のアドレス情報４を再生し、これをＣＰＵに出力する。ＣＰＵは、入力したアドレス情報４と記録開始アドレスとを比較して、その結果に基づいて光ピックアップを制御する。
【００２３】
すなわち、ＣＰＵは、アドレス情報読取用光ピックアップを移動させつつ、アドレス情報読取用光ピックアップから出力される信号から、格子状になったアドレス情報を含むピット列の横断数をカウントし、記録開始アドレスに対して、アドレス情報読取用光ピックアップが近くなったと判断すると、アドレス情報読取用光ピックアップから出力されるアドレス情報を読み込んで、アドレス情報読取用光ピックアップを正確に記録開始アドレスに移動させる。
【００２４】
また、図１に示すようなホログラムメモリ媒体１００に情報がすでに記録されている場合には、例えば、図示しないドライブ装置内のＣＰＵから記録開始アドレス（例えば、Ｘ＝Ｍ、Ｙ＝Ｎ）が指示されるが、目標アドレスに対するサーチの方法は、上記と同様である。また、図１に示すようなホログラムメモリ媒体１００に記録された情報を再生するためのサーチ動作も、上記の方法と同様である。
【００２５】
図２に示すようなホログラムメモリ媒体１００に情報を初めて記録するときには、例えば、図示しないドライブ装置内のＣＰＵからゾーン情報に対応するアドレス情報４と、そのゾーンにおける記録開始アドレス（例えば、Ｘ＝Ｂ、Ｙ＝Ｂ）が指示される。アドレス情報読取用光ピックアップは、ゾーン情報に対応するアドレス情報４に基づいて、所定のゾーンに移動するとともに、現在のアドレス情報４を再生し、これをＣＰＵに出力する。ＣＰＵは、入力したアドレス情報４と記録開始アドレスとを比較して、その結果に基づいて光ピックアップを制御する。
【００２６】
すなわち、ＣＰＵは、アドレス情報読取用光ピックアップを移動させつつ、アドレス情報読取用光ピックアップから出力される信号から、格子状になったアドレス情報を含むピット列の横断数をカウントし、記録開始アドレスに対して、アドレス情報読取用光ピックアップが近くなったと判断すると、アドレス情報読取用光ピックアップから出力されるアドレス情報を読み込んで、アドレス情報読取用光ピックアップを正確に記録開始アドレスに移動させる。なお、図２に示すようなホログラムメモリ媒体１００に情報がすでに記録されている場合あるいは、情報を再生する場合のサーチ方法は、図１の場合と同様である。
【００２７】
したがって、本実施例に係るホログラムメモリ媒体によれば、情報を記録し、あるいは再生する際に、ホログラムメモリ媒体の情報記録エリアの裏面に設けられた格子状に形成されたアドレス情報を用いることにより、情報記録エリアの全体にわたり正確なサーチ動作が可能となる。
【００２８】
以上、図面を参照して本発明の実施例について詳述してきたが、具体的な構成はこれらの実施形態に限られるものではなく、この発明の要旨を逸脱しない範囲の設計変更等も含まれる。例えば、本実施例においては、カード型ホログラムメモリ媒体について特に、明示しなかったが、本発明に係るホログラムメモリ媒体としては、フォトポリマーによる追記型媒体、ＬｉＮｂ０３などによる書き換え型媒体、あるいは多層導波路型媒体等に幅広く適用することができる。
【図面の簡単な説明】
【００２９】
【図１】本発明に係るホログラムメモリ媒体の基本態様を示すである。
【図２】本発明に係るホログラムメモリ媒体の基本態様を示すである。
【図３】ホログラムメモリ媒体の構成を例示した図である。
【図４】従来の記録方式を示した概念図である。
【符号の説明】
【００３０】
１、１１・・・情報記録エリア、２、１２・・・非情報記録エリア、３・・・ゾーン、４・・・アドレス情報、２２、２６・・・基板、２３・・・ホログラム記録層、２４・・・全反射層、２５・・・保護層、２７・・・ピット、１００・・・ホログラムメモリ媒体
【図１】
2005321947.tif 000003
【図２】
2005321947.tif 000004
【図３】
2005321947.tif 000005
【図４】
2005321947.tif 000006